(57)【特許請求の範囲】
【請求項１】
感光材料とともに使用される遮光袋（１０）において、
包みを形成するように構成されている少なくとも１つに部材（１１および１２）を持ち、この包みが感光材料を受け入れる空洞を画成しており、この包みが遮光する辺（１１ａ、１２ａ、１１ｂおよび１２ｂ）と、開いている第１端と、そして第２端とを持っていて、この第１端が感光材料を空洞に挿入する入り口を与え、この開いている端が感光材料が挿入された後、光を通さないように閉じられるべく適合され構成されていることと、そして第２端が蛇行経路を持ち、これによって光を通さない第２端を創り出し、また閉じ込められた空気が袋から出ることができるようにもしており、
蛇行経路が耳部を形成している不連続な後部シール（２０ａおよび２０ｂ）を持っていて、この不連続な後部シール（２０ａおよび２０ｂ）が空洞へ入る開口を形成しており、その耳部が第１および第２辺と後部を持っており、これらの辺が、後部シール（２０ａおよび２０ｂ）から後部に向かって延在する遮光シールを持っていて、後部に近接して開口を持っており、そして、複数の不連続な中間シール（２１ａ、２１ｂ、２２ａ、２２ｂおよび２３）が第１辺から第２辺まで延在していて、中間シールのそれぞれが開口を持っており、それらの開口が互い違いになって遮光シールとなっていて、開口が閉じ込められた空気がその空洞を出て行くための経路になっていることを特徴とする遮光袋。
【請求項２】
感光材料とともに使用される遮光袋（１０）において、
包みを形成するように構成されている少なくとも１つの部材（１１および１２）を持ち、この包みが感光材料を受け入れる空洞を画成しており、この包みが遮光する辺（１１ａ、１２ａ、１１ｂおよび１２ｂ）と、開いている第１端と、そして第２端とを持っていて、この第１端が感光材料を空洞に挿入する入り口を与え、この開いている端が感光材料が挿入された後、光を通さないように閉じられるべく適合され構成されていることと、そして第２端が蛇行経路を持ち、これによって光を通さない第２端を創り出し、また閉じ込められた空気が袋から出ることができるようにもしており、
少なくとも１つの部材（１１および１２）が作用するように接続されて包みを形成している第１部材（１１）と第２部材（１２）とから形成されており、第１部材および第２部材（１１および１２）は、それぞれ第１辺および第２辺と、前端と、後端（１１ｃおよび１２ｃ）と、そして中央部分とを持っており、後部シール（２０ａおよび２０ｂ）がその後端（１１ｃおよび１２ｃ）よりも内側に離れてあり、この後部シール（２０ａおよび２０ｂ）が感光材料を受け入れる空洞のサイズを限定しており、この後部シール（２０ａおよび２０ｂ）は不連続になっていて、空洞に通じる開口を形成し、この後部シール（２０ａおよび２０ｂ）は耳部も形成し、第１辺および第２辺のシールが第１端同士および第２端同士それぞれの間に遮光シールを形成し、第１部材および第２部材（１２）が遮光シールを保持するためにこれらの部材を巻き込んで中央部に接着できるサイズになっており、そして、その耳部が蛇行経路を持っていて、後部シール（２０ａおよび２０ｂ）で遮光シールを創り出し、そして閉じ込められた空気が出て行くことのできる蛇行経路を創り出していることを特徴とする遮光袋。
【請求項３】
上記第１部材および上記第２部材（１１および１２）が単一の弾性材料でできていて、これを折り畳んで上の第１部材（１１）と下の第２部材（１２）になっている請求項２記載の遮光袋。
【請求項４】
感光材料を袋（１０）に詰める方法であって、
この袋（１０）が空洞を画成している包みを持ち、この包みが、遮光する辺と、開いている第１端と、そして第２端とを持っており、感光材料の複数のシートを空洞に入れるステップと、開いている第１端を遮光するように閉鎖するステップと、包みを圧縮することによって、光を通さない蛇行経路を持っている第２端を通じて閉じ込められた空気がその空洞から出て行くようにするステップとを特徴とし、以て、輸送や取り扱いに更に適した袋を提供する方法。
【発明の詳細な説明】
技術分野
本発明は、概して、感光媒体とともに使用される遮光袋に向けられている。本発明は、特に、感光シートをその中に保管し、その一端が蛇行する経路になっていて、遮光シールにもなり、また、トラップした空気を出すこともできる遮光袋に向けられている。
発明の背景
医療診断（放射線）分野に使われており、かなり大きなサイズの感光材料のシートの上に画像を経時的に撮影・記録し、嵩の大きい湿式現像装置を使用する業務用画像システム。最近、画像を現像する装置で使用されている薬品類への暴露に対する防護、およびこれの適正な廃棄を要求している環境法規制が立法化され厳格に強制されるようになったので、画像処理業界は、これらのやっかいで高価な湿式システムを乾式銀プロセスに置き換えることを始めている。例えば、ソノグラムやＸ線などの医療診断用の典型的な乾式銀画像の分野では、関心のある画像を２０．３cm×２５．４cm（８インチ×１０インチ）の乾式銀感光媒体上に電子光学的にとらえ、これによって、薬品液に浸さなくても、観察して分析できる画像サイズで、物理的に患者のファイルに容易に入り、医療職員が容易に取り扱い、保管ができるようにしている。
乾式銀処理をベースにした画像システムにおける一連の操作においては、ちょうど比較的小さな手持ちカメラを使用するように、個別フレームになった感光媒体を、画像装置が必要とするときにそれらのフレームが直ぐに取り出せるようにしつつ、光を通さない筐体の中に保管しておく必要がある。手持ちカメラでは、フィルム容器がかなりコンパクトで、フィルムは、光を通さない円筒形の缶に入った連続・複数フレームの巻物か、１枚１枚の個別シートになっていてこれらのフィルムシートを使ってしまったら使い捨てされる、密封された自動給送カートリッジに入っている個別シートかの構成になっている。生憎、このような構成でありサイズが小さいために、これら手持ちカメラのフィルム保管法も給送法も、大きな感光媒体のシートを保管できないし、より大きな診断用画像装置に使用されているシートあるいはウェブ供給機構とこのような媒体との仲立ちをすることはできない。
医療診断分野用などで使用される、より大きな感光材料用の、光を通さない１回使用限りの容器またはパッケージが一般には知られている。米国特許第４，８６０，０４２号に示されているように、これらの光を通さない容器は、フィルム袋あるいは蓋の付いたトレーを含んでいてもよい。また、フィルム装填装置の本体に結合し、光を通さないで蓋あるいはフィルム袋を外すカートリッジまたはホルダも示されている。
更に、１９９４年１１月２３日に出願している同時係属の米国特許出願第０８／３４４，４６２号「ずらすことのできる壁を持つ画像ユニットの容器」には、感光シートを保管する袋が開示されている。この袋は３辺をシールされ、感光シートをこの袋に入れるための開口を持っている。そして、この袋の開いている端は巻れてこの袋にテープ止めされて、光を通さない包みとなる。この袋はまた耳付きの端部を含んでいる。しかし、遮光シールをするために開放端を巻いた際に、空気が袋の空洞に閉じ込められることがある。そうなると、袋は嵩が大きくなり、後で袋を取り扱ったり輸送したりするのが困難になる。関係のない分野には、不連続にしたシールを含む、嵩張る材料を入れる袋がある。不連続にしたシールは、袋から空気を逃がすのに有用で、こうすれば袋を容易に積み上げることができる。しかし、これは、感光材料に必要な遮光シールを与える対策は全くしないような、全く類推のできない分野で使用されるのである。
本発明は、従来の装置の欠点に取り組み、その１端に蛇行経路を持ち、これによって光を通さない端を創り出し、閉じ込められた空気が袋から出ることができるようにもした遮光袋を提供する。
発明の要約
本発明の１つの実施態様は、感光材料とともに使用される遮光袋を含んでいる。少なくとも１つの部材が包みを形成するように構成されている。この包みは、感光材料を受け入れる空洞を画成している。この包みは、遮光する辺と、開いている第１端と、第２端とを持っている。第１端は感光材料を空洞に挿入する入り口を与える。この開いている端は、感光材料が挿入された後、光を通さないように閉じられるべく適合され構成されている。第２端は蛇行経路を持ち、これによって光を通さない第２端を創り出し、閉じ込められた空気が袋から出ることができるようにもしている。
別の実施態様は感光材料と袋を含んでいる。この組み合わせは感光材料の複数のシートを含んでいる。少なくとも１つの部材が包みを形成するように構成されている。この包みは、感光材料のそれらのシートを受け入れる空洞を画成している。この包みは、遮光する辺と、開いている第１端と、第２端とを持っている。第１端は感光材料のそれらのシートを空洞に挿入する入り口を与える。この開いている端は、感光材料が挿入された後、光を通さないように閉じられるべく適合され構成されている。第２端は蛇行経路を持ち、これによって光を通さない第２端を創り出し、閉じ込められた空気が袋から出ることができるようにもしている。
別の実施態様では、本発明は感光材料を袋に詰める方法である。この袋は空洞を画成している包みを持っている。この包みは、遮光する辺と、開いている第１端と、光を通さない蛇行経路を持っている第２端とを持っている。この方法は、感光材料の複数のシートを空洞に入れるステップを含んでいる。そして、開いている第１端を遮光するように閉鎖するステップと、包みを圧縮するステップとであって、これによって、輸送や取り扱いにより適した袋を提供するのである。
別の実施態様は、感光材料とともに使用される遮光袋を含んでいる。第２部材が第１部材に作用するように接続され、感光材料を受け入れる空洞を画成する包みを形成している。第１部材および第２部材は、それぞれ、第１辺および第２辺と、前端と、後端と、そして中央部分とを持っている。後部シールがその後端よりも内側に離れてある。この後部シールは、感光材料を受け入れる空洞のサイズを限定する。この後部シールは不連続になっていて、空洞に通じる開口を形成している。この後部シールは耳部も形成している。第１辺および第２辺のシールは、第１端同士および第２端同士それぞれの間に遮光シールを形成している。第１部材および第２部材は、遮光シールを保持するために、これらの部材を巻き込んで中央部に接着できるサイズになっている。その耳部は蛇行経路を持っていて、後部シールで遮光シールを創り出し、そして閉じ込められた空気が出ていくことのできる蛇行経路を創り出している。
【図面の簡単な説明】
図１は、本発明の遮光袋の１つ実施態様の斜視図であり、
図２は、図１に示している袋の平面図であって、広げた状態にあり、そして
図３は、図２に示している袋の下からの平面図である。
詳細な説明
図を参照すると、いくつかの図面を通じて同じ数字は同じ部品を表しているが、総括的に１０で遮光袋が開示してある。遮光袋は、感光材料の複数のシートを保管するためのものである。感光材料は感光フィルムと紙の両方を含んでいる。
この袋１０は、第１部材即ち上部材１１と第２部材即ち下部材１２とを含んでいる。部材１１および１２は、一緒にシールされている別々のシートであればよいが、折り畳んでそれからシールした単一のシートの方が好ましい。後者の実施態様は詳細に述べることにする。この袋１０は、四角いファイバ・ボードのトレーかプラスチックのトレーなどの、その上にフィルムをおく搬送挿入物（図示していない）を包んでいる。１枚のシート材がほぼ真ん中で折り畳まれ、上部材１１と下部材１２とを形成している。上部材１１は、第１辺１１ａと、第２辺１１ｂと、後端１１ｃと、前端１１ｄと、そして中央部１１ｅとを持っている。同様に、下部材１２も、第１辺１２ａと、第２辺１２ｂと、後端１２ｃと、前端１２ｄと、そして中央部１２ｅとを持っている。上部材１２は下部材１１よりも長くなっており、袋１０が単一の厚さを持つ前端１２ｄに近接した領域を持っている。前端１２ｄには、感光材料を入れるときに袋を取り扱うのに使用される２つの穴１３が形成されている。
部材１１および１２は、熱可塑性樹脂が好ましく、アンパセット(ampacet)のフォトブラックの添加剤の入った、厚さがほぼ０．０１５２ｃｍ(０．００６インチ)の低密度ポリエチレンであればなお好ましい。この材料は不透明の黒で、１立当センチメートルあたり０．９１ないし０．９２５グラムの比重であるのが好ましい。この袋が熱可塑性材料でできていれば、熱でシールをすることができる。第１辺１１ａおよび１２ａはシール１４でシールされる。第２辺１１ｂおよび１２ｂはシール１５でシールされる。このシール１４および１５は、後端から前端までずっと延在している。しかし、前端には、以下に更に詳細に述べる、シールされていない部分がある。袋１０の前端はシールしないで、巻かれて袋１０の中央部１１ｃに接着され、シート１６のためには光を通さない包みになる。前端１１ｄおよび１２では、１片のミシン目の入ったテープで接着されるが、このテープは、袋１０をカートリッジおよび画像ユニットに挿入する前に使用者が破る。テープ１７は、最早袋を閉まったままにはしないが、袋１０が折り畳まれた折り癖によって、折れ曲がって光を通さない。後部シールは後端よりも内側に離れており、耳部を形成する。図に示しているように、耳部領域は、後端よりも前端の方で広くなっている。後端のシールは２つのシール２０ａおよび２０ｂを有している。後ろのシール２０ａおよび２０ｂは、感光材料のシート材料１６を受け入れる空洞２１のサイズを制限している。このシール２０ａと２０ｂとの間の開口が空洞２１への入口になっている。後端のシール２０ａおよび２０ｂは、ほぼ３／４インチの短い間隔で形成されており、ここから耳部が先細りになっている。シート１６のサイズが２０．３ｃｍ×２５．４ｃｍ(８インチ×１０インチ)であれば、この袋の幅は少し大きめで、シール１４と１５との間の間隔はおよそ２２．７ｃｍ(８．９３７インチ)である。不連続になっている後端のシール２０ａと２０ｂとの間隔はおよそ３．８１ｃｍ(１．５インチ)である。後端のシール２０ａおよび２０ｂから後方に離れて、３カ所の中間即ち補助シールがある。第１補助シールは２つの部分２１ａおよび２１ｂを持っており、これら２つの間にはおよそ３．８１ｃｍ(１．５インチ)の開口がある。この第１補助シールの開口は、第１辺１１ａおよび１２ａからおよそ２．５４ｃｍ(１インチ)のところにある。第２補助シール２２ａおよび２２ｂは、これら２つの間におよそ３．８１ｃｍ(１．５インチ)の開口を持ち、第２辺１１ｂおよび１２ｂからおよそ２．５４ｃｍ(１インチ)のところにある。更に、第２補助シール２２ａおよび２２ｂは、シール１４および１５の端に形成されている。第２補助シール２２ａおよび２２ｂの向こう側に延在している耳部の後部はシールしないが、これは図１の斜視図でよく解る。第３補助シール２３が第１および第２辺の両方からほぼ１．９１ｃｍ(３／４インチ)離れてある。耳部は約１３．９７ｃｍ(５．５インチ)の長さＸになっている。第３補助シール２３は後端からおよそ１．９１ｃｍ(３／４インチ)の所にあり、第２補助シールは第３補助シールから１．９１ｃｍ(３／４インチ)、また第１シールからおよそ１．９１ｃｍ(３／４インチ)の所にある。後のシール２２ａおよび２２ｂ、同様に２１ａ、２１ｂ、２２ａ、２２ｂ、および２３も概ね平行になっている。
袋１０はその前端に２つの穴１３を持っている。これらの穴１３は、詰め込み作業のときにこの袋が扱い易いようになっている。これらの穴１３を通す２本のピンを持つ小窓からこの袋１０を吊るのにこれらの穴を使用する。
袋詰めによって、感光材料の複数のシート１６を袋１０の空洞２１に入れる。また、ライナ（図示していない）をシート１６の下に入れてもよい。シートは、部材１１と１２との間のこの袋の前端から空洞に入れられる。これらのシートは後方に入って行って、後部シール２０ａおよび２０ｂに当たる。それから、前述のように、前端を前方に巻き１片のテープ１７で締結する。そして、完成した袋１０は適切な材料取扱装置へ移送される。また、第２の袋も詰められて第１の袋の上に置かれる。この第２の袋の第１の袋を圧迫し、空洞１６に閉じ込められていた総ての空気が空洞１６から前端の開口３０を通って排出される。空気の動きを図１に矢印で示している。前部シール２０ａおよび２０ｂにある開口と補助シールの開口は互い違いになっていて、光を通さないシールになっているが、一方で閉じ込められた空気が空洞２１を出て行く経路ともなっている。空気が空洞から出て行くことができるようにすると、取り扱いや輸送のし易いパッケージとなる。後部および補助シールの開口によって形成された経路は、蛇行、即ち曲がりくねった通路を与える。この通路は光を通さない上に、空気が出て行く経路ともなる。別の構成の開口でも同様の機能を果たすことができるということは理解できよう。更に、一旦袋を潰すと、この袋の蛇行通路によって再び入ることができなくなるので、空気はもう入らない。しかし、この通路は、光を通さないようにするために十分に蛇行し、即ち曲がりくねり、更に、空気が空洞１６から出て行く経路を確保しなければならない。
上記の明細書、例およびデータによって、本発明の構成の製造および利用について完全な説明を行った。本発明の主旨および範囲から逸脱しないで多数の実施態様が本発明にはあるが、本発明は以下に添付している請求の範囲に帰される。
【図１】
0003899131.tif 000002
【図２】
0003899131.tif 000003
【図３】
0003899131.tif 000004